(57)【要約】【課題】ファクシミリ送信前またはコピー出力前に出力予定画像を無駄な紙の消費をせずに事前確認目的に応じた表示を可能とするコピーファクシミリ複合機を提供する。【解決手段】事前確認目的に応じて選択された解像度やサイズ等の画面表示が可能な外部表示装置６が外部表示装置接続手段１０１に接続されていることを、外部表示装置接続検出手段１０２で検出すると、スキャナ部１２で読み込んだ原稿から利用者設定のパラメータ情報に従って入出力画像処理部１１で作成した出力予定画像を、ファクシミリ送信前またはコピー出力前に、操作制御部１７の制御により外部表示画像表示手段１０４を起動して外部表示装置６に表示する。これにより、利用者は出力前に出力予定画像を事前確認し、問題がない場合に、通信制御部１４やネットワーク制御部１５による原稿のファクシミリ送信またはプリンタ部１３による原稿のコピー出力を行うことを可能とする。【選択図】図１
2006246284.tif 000002
【特許請求の範囲】
【請求項１】
ファクシミリ機能およびコピー機能を備えたコピーファクシミリ複合機において、
外部表示装置を接続可能とする外部表示装置接続手段を備え、出力用画像に対応して前記外部表示装置に前記画像を表示させることを特徴とするコピーファクシミリ複合機。
【請求項２】
ファクシミリ機能およびコピー機能を備えたコピーファクシミリ複合機において、
外部表示装置を接続可能とする外部表示装置接続手段を備え、出力用画像の事前確認目的に応じて前記外部表示装置に前記画像を表示することを特徴とするコピーファクシミリ複合機。
【請求項３】
ファクシミリ機能およびコピー機能を備えたコピーファクシミリ複合機において、異なる表示能力を有する複数の外部表示装置のうち、出力用画像の事前確認目的に応じた所定の表示能力を有する任意の外部表示装置を選択して接続可能とする外部表示装置接続手段を備えていることを特徴とするコピーファクシミリ複合機。
【請求項４】
ファクシミリ送信用として設定した送信用パラメータ情報またはコピー出力用として設定したコピー出力用パラメータ情報に基づいて原稿から生成した出力用画像を、ファクシミリ送信の前にまたはコピー出力の前に、前記外部表示装置接続手段に接続された外部表示装置に表示することを特徴とする請求項１に記載のコピーファクシミリ複合機。
【請求項５】
前記外部表示装置接続手段に外部表示装置が接続されているか否かを自動的に検出することができる外部表示装置接続検出手段を備えていることを特徴とする請求項１乃至４のいずれかに記載のコピーファクシミリ複合機。
【請求項６】
前記外部表示装置接続検出手段が、前記外部表示装置接続手段に外部表示装置が接続されていることを検出した場合に、ファクシミリ送信用として設定した送信用パラメータ情報またはコピー出力用として設定したコピー出力用パラメータ情報に基づいて原稿から生成した出力用画像を、ファクシミリ送信の前にまたはコピー出力の前に、前記出力用画像を前記外部表示装置に表示することを特徴とする請求項５に記載のコピーファクシミリ複合機。
【請求項７】
ファクシミリ送信用として設定した送信用パラメータ情報またはコピー出力用として設定したコピー出力用パラメータ情報に基づいて原稿から生成した出力用画像を、前記外部表示装置接続手段に接続された外部表示装置に表示する際に、前記送信用パラメータ情報または前記コピー出力用パラメータ情報を、前記外部表示装置に表示可能な形式に編集して、前記出力用画像とともに、前記外部表示装置に表示することを特徴とする請求項１乃至６のいずれかに記載のコピーファクシミリ複合機。
【請求項８】
コピー出力用として設定したコピー出力用パラメータ情報に基づいて原稿から生成した出力用画像を前記外部表示装置接続手段に接続された外部表示装置に表示する際に、コピー出力後の記録用紙の仕上げ用として設定した仕上げ用パラメータ情報の設定内容を、前記外部表示装置に表示可能な形式に編集して、前記出力用画像とともに、前記外部表示装置に表示することを特徴とする請求項１乃至６のいずれかに記載のコピーファクシミリ複合機。
【請求項９】
ファクシミリ送信用として設定した送信用パラメータ情報またはコピー出力用として設定したコピー出力用パラメータ情報に基づいて原稿から生成した出力用画像を、如何なるネットワークを経由してファクシミリ送信する場合であっても、または、如何なるコピー方式でコピー出力する場合であっても、ファクシミリ送信の前にまたはコピー出力の前に、前記外部表示装置接続手段に接続された外部表示装置に、前記出力用画像を表示することを特徴とする請求項１乃至８のいずれかに記載のコピーファクシミリ複合機。
【請求項１０】
当該コピーファクシミリ複合機に対する操作画面や当該コピーファクシミリ複合機の設定情報を表示可能な表示手段を備えていることを特徴とする請求項１乃至７のいずれかに記載のコピーファクシミリ複合機。
【請求項１１】
コピー機能を備えた画像形成装置において、外部表示装置を接続可能とする外部表示装置接続手段を備え、出力用画像に対応して前記外部表示装置に前記画像を表示させることを特徴とする画像形成装置。
【請求項１２】
コピー機能を備えた画像形成装置において、外部表示装置を接続可能とする外部表示装置接続手段を備え、出力用画像の事前確認目的に応じて前記外部表示装置に前記画像を表示することを特徴とする画像形成装置。
【請求項１３】
コピー機能を備えた画像形成装置において、異なる表示能力を有する複数の外部表示装置のうち、出力用画像の事前確認目的に応じた所定の表示能力を有する任意の外部表示装置を選択して接続可能とする外部表示装置接続手段を備えていることを特徴とする画像形成装置。
【請求項１４】
コピー出力用として設定したコピー出力用パラメータ情報に基づいて原稿から生成した出力用画像を、コピー出力の前に、前記外部表示装置接続手段に接続された外部表示装置に、前記出力用画像を表示することを特徴とする請求項１１乃至１３のいずれかに記載の画像形成装置。
【請求項１５】
前記外部表示装置接続手段に外部表示装置が接続されているか否かを自動的に検出することができる外部表示装置接続検出手段を備えていることを特徴とする請求項１１乃至１３のいずれかに記載の画像形成装置。
【請求項１６】
前記外部表示装置接続検出手段が、前記外部表示装置接続手段に外部表示装置が接続されていることを検出した場合に、コピー出力用として設定したコピー出力用パラメータ情報に基づいて原稿から生成した出力用画像を、コピー出力の前に、前記出力用画像を前記外部表示装置に表示することを特徴とする請求項１５に記載の画像形成装置。
【発明の詳細な説明】
【技術分野】
【０００１】
本発明は、コピーファクシミリ複合機及び画像形成装置に関し、特に、画像データをファクシミリ送信する前に、もしくは、コピーする前に、出力用画像の事前確認のために、当該装置に接続している外部表示装置に画面表示するコピーファクシミリ複合機及び画像形成装置に関する。
【背景技術】
【０００２】
従来技術として、画像データのファクシミリ送信前に該画像データを事前に確認する技術が、特許文献１に示す特開平１０−２８５３１８号公報「画像出力装置及び画像出力方法」や、特許文献２に示す特開平９−１３９８３６号公報「ファクシミリ装置」に記載されている。前記特許文献１に記載の技術は、図６のフローチャートに示すように、画像データをファクシミリ送信する前に、該画像データの一部を記録用紙に出力して、操作ミスや設定ミスによる記録用紙や通信コストの無駄を削減しようとするものである。ここに、図６は、前記特許文献１に示す従来のファクシミリ装置における送信ファクシミリ画像の確認方法を説明するフローチャートである。
【０００３】
また、前記特許文献２に記載の技術は、画像データをファクシミリ送信する前に、一枚の記録用紙に複数の解像度の画像データを一覧形式で印字出力することにより、送信相手で出力される印字画像をあらかじめ確認しようとするものである。
【０００４】
しかしながら、これらの特許文献１、２に記載された画像データ確認方法は、いずれも、記録用紙に出力して確認を行うものであり、出力用画像の事前確認のために無駄に記録用紙を消費するという問題があった。
【０００５】
また、特許文献３に記載の特開平７−１７７３６９号公報の「カラー・ファクシミリ装置」には、図７のフローチャートに示すように、送信者の要求に応じてカラートーンを調整した後の画像を内蔵の表示装置にカラー表示して画面で確認した後に、画像データをカラー・ファクシミリ送信したりコピーしたりする技術が記載されている。ここに、図７は、従来のカラー・ファクシミリ装置における送信ファクシミリ画像の確認方法を説明するフローチャートである。
【０００６】
特許文献３に記載の技術は、カラー・ファクシミリ装置（またはコピーファクシミリ複合機）にカラー画像表示手段を具備しており、記録用紙に出力することなく、該カラー画像表示手段に画像を表示させてトーンの確認を行うことができるが、画像を事前確認することが可能な解像度や面積（サイズ）を有する表示手段をカラー・ファクシミリ装置（またはコピーファクシミリ複合機）本体に必ず具備することが必要であり、カラー・ファクシミリ装置（またはコピーファクシミリ複合機）としてのコストが高くなってしまうという問題があった。
【０００７】
図８は、特許文献３に例示されているような従来技術のコピーファクシミリ複合機を示す概略構成ブロック図であり、本発明によるコピーファクシミリ複合機との相違をより明確に示すように、若干アレンジして示している。図８を用いて、従来技術におけるコピーファクシミリ複合機１００の動作について概略説明する。
【０００８】
図８に示すコピーファクシミリ複合機１００では、利用者の操作制御部１７からの指示に応じて、スキャナ部１２を介して読み込んだ原稿を入出力画像処理部１１の入出力画像用領域１１２に蓄積して、出力用の画像データに入出力画像編集手段１１１により編集した後、入出力画像用領域１１２に出力用画像データとして保存し、表示制御部１６を介して、図示していない表示装置に画像表示することにより、利用者が事前確認する。
【０００９】
利用者が出力用画像を確認した後、記録用紙に印字コピーする場合は、プリンタ部１３を介して、記録用紙に印字出力し、一方、ファクシミリ送信する場合は、例えば公衆網や専用網などに接続されているファクシミリ装置３への送信であれば、通信制御部１４を介して、出力用画像データを送信し、ＬＡＮ２に接続されているＩＰアドレスファクシミリ装置４やパーソナルコンピュータ５への送信であれば、ネットワーク制御部１５を介して、出力用画像データを送信するようにしている。
【００１０】
また、特許文献４に示す特開２００２−３００３９６号公報「画像処理装置」にも、ファクシミリ送信前やコピー印字出力前に、出力用画像の少なくとも一部を内蔵の表示部に画面表示して、利用者が事前確認するとともに、表示画像に基づいて、出力用画像を拡大・縮小したり、濃淡を変更したりして調整を行い、調整後の画像を、ファクシミリ送信したり、コピー印字出力するという技術が記載されている。しかしながら、特許文献４に記載の技術も、前述の特許文献３と同様に、画像を事前確認することが可能な解像度や面積（サイズ）を有する表示部を画像処理装置本体に必ず具備することが必要であり、画像処理装置としてのコストが高くなってしまうという問題がある。
【００１１】
また、特許文献５に示す特開平１０−２８１９１号公報「データ通信装置」においては、ファクシミリ装置にパーソナルコンピュータを接続して、ファクシミリ送信前やコピー印字出力前に、パーソナルコンピュータからの指示にしたがって、あらかじめ設定されている複数種類の変換パラメータによりそれぞれ生成した出力用画像を、パーソナルコンピュータのディスプレイに表示し、パーソナルコンピュータの利用者からの指示により、選択したいずれかの変換パラメータを用いて生成した出力用画像を、ファクシミリ送信したり、コピー印字出力するという技術が記載されている。
【００１２】
しかしながら、特許文献５に記載の技術は、パーソナルコンピュータをファクシミリ装置に接続することを必須とする構成であり、また、該パーソナルコンピュータからの利用者の操作指示を受け付けて実行する手段をファクシミリ装置に備えることも必須であり、コストが高くなってしまうという問題があるとともに、出力用画像を表示する確認用の画面が、接続されているパーソナルコンピュータのディスプレイに固定されるため、必ずしも画像を事前確認することが可能な解像度や面積（サイズ）を有する表示手段を構成することができないという問題があった。
【００１３】
【特許文献１】特開平１０−２８５３１８号公報
【特許文献２】特開平９−１３９８３６号公報
【特許文献３】特開平７−１７７３６９号公報
【特許文献４】特開２００２−１７７３６９号公報
【特許文献５】特開平１０−２８１９１号公報
【発明の開示】
【発明が解決しようとする課題】
【００１４】
すなわち、従来技術においては、出力用画像データ（イメージ画像）のファクシミリ送信前やコピー印字出力前に、該出力用画像データの事前確認を行うためには、試しに、記録用紙に一部を印字出力する、もしくは、コピーファクシミリ複合機本体や画像処理装置本体などに装備した画像表示手段に、または、ファクシミリ装置に接続したパーソナルコンピュータのディスプレイに出力用画像データを表示して確認するものであった。
【００１５】
ここで、記録用紙に印字出力する確認方法は、確実な確認を行うことが可能な方法ではあるが、前述したように、確認のために無駄に記録用紙を消費するという欠点があった。
【００１６】
また、コピーファクシミリ複合機本体や画像処理装置本体などに装備した画像表示手段に出力用画像データ（イメージ画像）を表示して確認する方法では、出力用画像を精細に表示可能な解像度を有する表示手段を必要とし、コピー機能のみの画像形成装置やファクシミリ機能のみのファクシミリ装置やコピー機能とファクシミリ機能とを併せ持つコピーファクシミリ複合機に適用するような場合には、画面サイズが小さくかつ解像度が低い表示装置しか装備していない場合もあり、ファクシミリ送信時やコピー印字出力時の出力用画像データの解像度やサイズに対応可能なレベルで、画像の細かい確認を行うことが困難であるという欠点があった。
【００１７】
一方、画像事前確認の目的に応じて、大きな画面サイズでかつ解像度が高い表示装置をコピーファクシミリ複合機本体などに装備すると、コピーファクシミリ複合機や画像形成装置やファクシミリ装置自体のコストが高くなってしまうという欠点があった。
【００１８】
また、パーソナルコンピュータをファクシミリ装置に接続することを必須とするような従来技術の構成では、前述のように、パーソナルコンピュータからの利用者の操作指示を受け付けて実行する手段をファクシミリ装置に備えることも必須であり、ファクシミリ装置のコストが高くなってしまうという欠点があり、更には、出力用画像が、接続されているパーソナルコンピュータのディスプレイに表示されるものであり、必ずしも画像を事前確認することが可能な解像度や面積（サイズ）を有する表示手段を構成することができないという欠点があった。
【００１９】
そこで、本発明の目的は、コピーファクシミリ複合機及び画像形成装置に対して、出力画像に応じて、または事前画像確認の目的に応じて必要とする画面サイズや解像度などの表示能力で表示可能な外部表示装置を選択して接続することを可能とし、ファクシミリ送信またはコピー印字出力する原稿を読み取って、利用者が設定したパラメータ情報に基づいて出力用画像データを生成した後、ファクシミリ送信前またはコピー印字出力前に、当該コピーファクシミリ複合機、画像形成装置、及びファクシミリ装置に接続している外部表示装置に、事前画像確認の目的に応じて必要とする画面サイズや解像度で出力用画像データを画面表示し、利用者が出力用画像データを事前に確認してから、ファクシミリ送信またはコピー印字出力を行うことを可能とすることにある。
【００２０】
また、本発明の他の目的は、コピーファクシミリ複合機及び画像形成装置に、事前画像確認のために用いる外部表示装置が接続されているか否かを自動的に検出可能とし、接続されている場合には、利用者が、わざわざ画像確認を行うモードに設定することなく、ファクシミリ送信前またはコピー印字出力前に、出力用画像データを外部表示装置に自動的に画面表示することを可能とすることにある。
【課題を解決するための手段】
【００２１】
前述の課題を解決するため、本発明によるコピーファクシミリ複合機及び画像形成装置は、次のような特徴的な構成を採用している。
【００２２】
（１）ファクシミリ機能およびコピー機能を備えたコピーファクシミリ複合機において、
外部表示装置を接続可能とする外部表示装置接続手段を備え、出力用画像に対応して前記外部表示装置に前記画像を表示させるコピーファクシミリ複合機。
（２）ファクシミリ機能およびコピー機能を備えたコピーファクシミリ複合機において、
外部表示装置を接続可能とする外部表示装置接続手段を備え、出力用画像の事前確認目的に応じて前記外部表示装置に前記画像を表示するコピーファクシミリ複合機。
（３）ファクシミリ機能およびコピー機能を備えたコピーファクシミリ複合機において、異なる表示能力を有する複数の外部表示装置のうち、出力用画像の事前確認目的に応じた所定の表示能力を有する任意の外部表示装置を選択して接続可能とする外部表示装置接続手段を備えているコピーファクシミリ複合機。
（４）ファクシミリ送信用として設定した送信用パラメータ情報またはコピー出力用として設定したコピー出力用パラメータ情報に基づいて原稿から生成した出力用画像を、ファクシミリ送信の前にまたはコピー出力の前に、前記外部表示装置接続手段に接続された外部表示装置に表示する上記（１）のコピーファクシミリ複合機。
（５）前記外部表示装置接続手段に外部表示装置が接続されているか否かを自動的に検出することができる外部表示装置接続検出手段を備えている上記（１）乃至（４）のいずれかのコピーファクシミリ複合機。
（６）前記外部表示装置接続検出手段が、前記外部表示装置接続手段に外部表示装置が接続されていることを検出した場合に、ファクシミリ送信用として設定した送信用パラメータ情報またはコピー出力用として設定したコピー出力用パラメータ情報に基づいて原稿から生成した出力用画像を、ファクシミリ送信の前にまたはコピー出力の前に、前記出力用画像を前記外部表示装置に表示する上記（５）のコピーファクシミリ複合機。
（７）ファクシミリ送信用として設定した送信用パラメータ情報またはコピー出力用として設定したコピー出力用パラメータ情報に基づいて原稿から生成した出力用画像を、前記外部表示装置接続手段に接続された外部表示装置に表示する際に、前記送信用パラメータ情報または前記コピー出力用パラメータ情報を、前記外部表示装置に表示可能な形式に編集して、前記出力用画像とともに、前記外部表示装置に表示する上記（１）乃至（６）のいずれかのコピーファクシミリ複合機。
（８）コピー出力用として設定したコピー出力用パラメータ情報に基づいて原稿から生成した出力用画像を前記外部表示装置接続手段に接続された外部表示装置に表示する際に、コピー出力後の記録用紙の仕上げ用として設定した仕上げ用パラメータ情報の設定内容を、前記外部表示装置に表示可能な形式に編集して、前記出力用画像とともに、前記外部表示装置に表示する上記（１）乃至（６）のいずれかのコピーファクシミリ複合機。
（９）ファクシミリ送信用として設定した送信用パラメータ情報またはコピー出力用として設定したコピー出力用パラメータ情報に基づいて原稿から生成した出力用画像を、如何なるネットワークを経由してファクシミリ送信する場合であっても、または、如何なるコピー方式でコピー出力する場合であっても、ファクシミリ送信の前にまたはコピー出力の前に、前記外部表示装置接続手段に接続された外部表示装置に、前記出力用画像を表示する上記（１）乃至（８）のいずれかのコピーファクシミリ複合機。
（１０）当該コピーファクシミリ複合機に対する操作画面や当該コピーファクシミリ複合機の設定情報を表示可能な表示手段を備えている上記（１）乃至（７）のいずれかのコピーファクシミリ複合機。
（１１）コピー機能を備えた画像形成装置において、外部表示装置を接続可能とする外部表示装置接続手段を備え、出力用画像に対応して前記外部表示装置に前記画像を表示させる画像形成装置。
（１２）コピー機能を備えた画像形成装置において、外部表示装置を接続可能とする外部表示装置接続手段を備え、出力用画像の事前確認目的に応じて前記外部表示装置に前記画像を表示する画像形成装置。
（１３）コピー機能を備えた画像形成装置において、異なる表示能力を有する複数の外部表示装置のうち、出力用画像の事前確認目的に応じた所定の表示能力を有する任意の外部表示装置を選択して接続可能とする外部表示装置接続手段を備えている画像形成装置。
（１４）コピー出力用として設定したコピー出力用パラメータ情報に基づいて原稿から生成した出力用画像を、コピー出力の前に、前記外部表示装置接続手段に接続された外部表示装置に、前記出力用画像を表示する上記（１１）乃至（１３）のいずれかの画像形成装置。
（１５）前記外部表示装置接続手段に外部表示装置が接続されているか否かを自動的に検出することができる外部表示装置接続検出手段を備えている上記（１１）乃至（１３）のいずれかの画像形成装置。
（１６）前記外部表示装置接続検出手段が、前記外部表示装置接続手段に外部表示装置が接続されていることを検出した場合に、コピー出力用として設定したコピー出力用パラメータ情報に基づいて原稿から生成した出力用画像を、コピー出力の前に、前記出力用画像を前記外部表示装置に表示する上記（１５）の画像形成装置。
【発明の効果】
【００２３】
本発明によるコピーファクシミリ複合機及び画像形成装置によれば、以下のような効果を得ることができる。
【００２４】
第１の効果は、出力画像に応じて、または利用者が必要に応じた解像度やサイズの画像表示装置を外部表示装置としてコピーファクシミリ複合機及び画像形成装置に接続可能としていることにある。その理由は、ファクシミリ送信前やコピー印字出力前に出力画像の事前確認を行うために必要とするすべてのケースに対して対応可能な高い表示能力を有する表示手段を当該コピーファクシミリ複合機、及び画像形成装置自身には具備することなく、出力画像に応じて、またはそれぞれの利用者において必要とする事前確認の目的に応じて、最適に対応可能なサイズや解像度の外部表示装置をそれぞれで選択して接続することを可能とするためである。外部表示装置としては、例えば、利用者が原稿ずれの確認や原稿の向きなどを確認したいというような高い解像度を必要としない場合には、安価な低解像度表示装置を用いればよい。また、ハーフトーンやスーパーファインモードなどの画質の画像確認や細かい部分の画像確認を行いたい場合には、高解像度の表示装置を選択すればよい。
【００２５】
第２の効果は、ファクシミリ送信前やコピー印字出力前に出力画像を事前確認できるという利点を備えながら、同時に、コピーファクシミリ複合機及び画像形成装置自身のコスト低下を見込めることにある。その理由は、第１の効果の理由と同様、ファクシミリ送信前やコピー印字出力前に画像確認を行うために必要とする解像度やサイズの表示装置を当該コピーファクシミリ複合機、画像形成装置、及びファクシミリ装置自身に具備する必要がないためである。画像確認が可能な解像度やサイズの表示装置をコピーファクシミリ複合機及び画像形成装置本体に標準装備することは、当該コピーファクシミリ複合機及び画像形成装置自身のコストアップ要因となる。ファクシミリ送信前やコピー印字出力前の画像確認の要/不要判断は、利用者のニーズにより決定されるものであるため、当該コピーファクシミリ複合機及び画像形成装置自体に過剰に高機能の表示装置を具備する必要はない。
【００２６】
第３の効果は、ファクシミリ送信前やコピー印字出力前に画像確認を行いたい利用者が、わざわざ画像確認を行うモードに設定することなく、外部表示装置を接続するだけで画像確認を行うことが可能なことにある。その理由は、外部表示装置との接続検出手段を備え、該接続検出手段により外部表示装置との接続を検出すると、ファクシミリ送信前やコピー印字出力前に、出力用画像データを、接続されている外部表示装置に自動的に画像表示することを可能としているためである。
【発明を実施するための最良の形態】
【００２７】
以下、本発明によるコピーファクシミリ複合機及び画像形成装置の好適実施形態例について添付図を参照しながら詳細に説明する。なお、以下の説明においては、コピー機能とファクシミリ機能とを併せ持つコピーファクシミリ複合機の実施の形態について説明するが、斯かる説明により、コピー機能のみを備えた画像形成装置（ファクシミリ機能のみを備えたファクシミリ装置を含む）の実施の形態についても容易に想到することができる。
【実施例】
【００２８】
まず、本発明によるコピーファクシミリ複合機の第１及び第２の実施例について、その構成例を図１を用いて説明する。図１は、本発明によるコピーファクシミリ複合機の第１及び第２の実施例を示す概略構成ブロック図である。図１に示す本発明によるコピーファクシミリ複合機１は、図８に前述した従来技術のコピーファクシミリ複合機１００に比し、外部表示装置６との接続制御を司る外部表示装置制御部１０を追加して備えている以外は全く同様の構成としている。
【００２９】
図１に示す本発明によるコピーファクシミリ複合機１においては、従来技術で説明したコピーファクシミリ複合機１００の場合と同様に、紙に印刷された文書を読み取るためのスキャナ部１２と、読み取ったデータや出力する画像データを処理する入出力画像処理部１１と、ファクシミリ装置として受信した画像データや、コピー入力した画像を印字出力するプリンタ部１３と、公衆網や専用網や構内網のような電話回線に接続されたファクシミリ装置３との通信を制御する通信制御部１４と、ＬＡＮ２やインターネットやイントラネットなどのネットワークに接続されたＩＰアドレスファクシミリ装置４やパーソナルコンピュータ５との通信を制御するネットワーク制御部１５と、当該コピーファクシミリ複合機１の各種の状態情報（設定情報）や操作画面を画面表示する表示部１６と、当該コピーファクシミリ複合機１の利用者による操作を制御し、当該コピーファクシミリ複合機１の全体の動作を制御する操作制御部１７と、を少なくとも含んで構成されている。
【００３０】
ここで、表示部１６は、従来技術のようにファクシミリ送信用やコピー印字出力用の出力用画像データの確認のために用いるものではなく、当該コピーファクシミリ複合機１の各種の設定情報を表示したり、操作用の情報を画面表示するものであり、精細な解像度を有しておらず、小型サイズの表示画面のもので十分である。また、プリンタ部１３は、白黒コピー、ハーフトーンコピー、カラーコピーなどのコピー方式について、使用目的により必要に応じたコピー方式に適用可能なものを用いて構成すればよい。
【００３１】
また、入出力画像処理部１１は、図８のコピーファクシミリ複合機１００と同様、入出力画像編集手段１１１と入出力画像用領域１１２とを少なくとも含んで構成されている。
【００３２】
更に、当該コピーファクシミリ複合機１は、従来技術の図８のコピーファクシミリ複合機１００とは異なり、前述のように、ファクシミリ送信前またはコピー印字出力前に、出力用画像データを事前確認目的に応じて表示可能とする外部表示装置６と接続して画面表示制御を司る外部表示装置制御部１０を含んで構成されている。
【００３３】
外部表示装置制御部１０は、外部表示装置６と接続するための外部表示装置接続手段１０１と、外部表示装置６が外部表示装置接続手段１０１に接続されていて画面表示が可能な状態にあることを検出する外部表示装置接続検出手段１０２と、外部表示装置接続検出手段１０２の検出結果を格納するための外部表示装置検出結果格納領域１０３と、外部表示装置６へ画像を表示するための外部表示画像表示手段１０４と、外部表示装置６へ表示する出力用画像を格納している外部表示画像用領域１０５とを少なくとも含んで構成されている。
【００３４】
なお、外部表示装置６は、当該コピーファクシミリ複合機１の通信制御部１４やネットワーク制御部１５を介してファクシミリ送信したり、プリンタ部１３でコピー印字出力したりする出力用画像に応じて、または出力用画像を、事前確認する目的に応じて必要とする解像度やサイズ等の任意の表示能力で画像表示が可能な表示装置であり、異なる表示能力を有する外部表示装置のうち、利用者の事前確認目的に応じてあらかじめ定めた所定の表示能力を有する任意の外部表示装置を選択して用いている。ここで、外部表示装置接続手段１０１は、事前確認目的に応じて任意に選択された所望の外部表示装置６を接続することが可能なように構成されている。勿論、外部装置は１台でも良いし、事前確認用でなくとも良い。
【００３５】
（第１の実施例）
次に、図１に示す本発明によるコピーファクシミリ複合機１のファクシミリ送信動作の一例について、図２、図３のフローチャートを参照して詳細に説明する。ここに、図２は、本発明によるコピーファクシミリ複合機１におけるファクシミリ送信動作の一例を説明するためのフローチャートであり、図３は、本発明によるコピーファクシミリ複合機１に外部表示装置６が接続されているか否かを自動的に検出する動作の一例を説明するためのフローチャートである。
【００３６】
まず、図２を用いて、コピーファクシミリ複合機１におけるファクシミリ送信動作の一例について説明する。
【００３７】
利用者は、コピーファクシミリ複合機１本体の表示部１６の表示および操作制御部１７の操作により、ファクシミリ送信用として用いる各種送信用パラメータ情報の設定を行う（ステップＳ１１）。送信用パラメータ情報とは、例えば、ハーフトーン、スーパーファイン等の画質や、２００ｄｐｉ、４００ｄｐｉ等の解像度や、濃度、読み取り範囲、縮小率、更には、発信元名、送信日時、文書番号、ページ番号などの情報を送信文書に付加するか否かといった内容を少なくとも含むものである。
【００３８】
なお、このような送信用パラメータ情報設定用に表示する設定画面は、図１の表示部１６のサイズの制限もあるため、複数の画面に分かれていることが多く、利用者自身がどのような設定を行ったのか感覚的に捉えにくい面がある。
【００３９】
また、送信用パラメータ情報の中には、利用者が意図的に設定しなくても、初期値としてあらかじめ設定されている内容もあり、送信用パラメータ情報がどのように設定されているのか利用者に分かりにくい場合が多い状況にある。
【００４０】
次に、スキャナ部１２でセットされている送信原稿を画像データとして読み取る（ステップＳ１２）。読み取った画像データは入出力画像処理部１１に送られ、ステップＳ１１で設定された各種の送信用パラメータ情報に基づいて、ファクシミリ送信用の送信画像データとして編集される（ステップＳ１３）。
【００４１】
ここで、コピーファクシミリ複合機１においては、図３のフローチャートに示すように、外部表示装置制御部１０の外部表示装置接続検出手段１０２が、外部表示装置接続手段１０１に外部表示装置６が接続されているか否かを判断し（ステップＳ３１）、その結果を外部表示装置検出結果格納領域１０３に格納している（ステップＳ３２）。
【００４２】
図３のフローチャートに示す外部表示装置６が接続されているか否かの検出は、あらかじめ定めたある一定間隔で定期的にチェックを行うようにしてもよいし、外部表示装置６の接続状態（接続または切断）の変化を割り込みで検出するしくみを用いるようにしてもよい。
【００４３】
操作制御部１７は、外部表示装置制御部１０の外部表示装置検出結果格納領域１０３を参照し、外部表示装置６が外部表示装置接続手段１０１に接続されているか否かを判断する（ステップＳ１４）。外部表示装置６が外部表示装置接続手段１０１に接続されていないと判断した場合は（ステップＳ１４のＮＯ）、ステップＳ１９に移行して、入出力画像用領域１１２にファクシミリ送信用として編集されていた送信画像データをそのままファクシミリ送信する（ステップＳ１９）。
【００４４】
一方、外部表示装置６が外部表示装置接続手段１０１に接続されていると判断した場合は（ステップＳ１４のＹＥＳ）、操作制御部１７は、入出力画像用領域１１２にファクシミリ送信用として編集されていた送信画像データを外部表示装置制御部１０の外部表示画像用領域１０５に転送するとともに、外部表示画像表示手段１０４を起動して、外部表示画像用領域１０５に転送されたファクシミリ送信用の送信画像データを、外部表示装置６に対して外部表示装置接続手段１０１を介して表示する（ステップＳ１５）。このとき、表示部１６には、外部表示装置６による画像確認を行うか否かを利用者にあらかじめ確認する確認画面を表示するようにしてもよいし、利用者に対して画像確認を促す案内画面の表示を行ってもよい。
【００４５】
外部表示装置６によるファクシミリ送信用の送信画像データの事前確認を行う場合、利用者は、ファクシミリ送信前の画像確認を１ページごとに行う（ステップＳ１６）。
【００４６】
すなわち、利用者の事前確認目的に応じて、原稿の読み取り時に原稿がずれたり原稿が折れ曲がっていたり読み取り面や読み取り範囲を誤って指定したりしていないか、といった単純な確認や、ハーフトーン、スーパーファイン等の画質、２００ｄｐｉ、４００ｄｐｉ等の解像度、濃度、読み取り範囲、縮小率、更には、発信元名、送信日時、文書番号、ページ番号などの情報が送信文書（送信用ファクシミリ画像データ）に付加されているか等、利用者が意図した設定どおりに送信文書が作成されているか否かといった画質を含む高度な確認を、外部表示装置６の表示内容に基づいて行う。
【００４７】
外部表示装置６の画像確認の結果、設定した送信用パラメータ情報では、利用者の意図したとおりに送信文書が作成されていないと利用者が判断した場合は（ステップＳ１７のＮＯ）、コピーファクシミリ複合機１本体の表示部１６の表示および操作制御部１７の操作により、変更を要する送信用パラメータ情報を再設定して（ステップＳ２０）、ステップＳ１３に戻り、ステップＳ２０で再設定された各種の送信用パラメータ情報に基づいて、ファクシミリ送信用の送信画像データを再度編集しなおすことになる。
【００４８】
一方、利用者の意図したとおりに送信文書が作成されていて、設定した送信用パラメータ情報に特に問題がなければ（ステップＳ１７のＹＥＳ）、コピーファクシミリ複合機１本体の表示部１６の表示及び操作制御部１７の操作により、当該ページの送信画像データの送信準備を完了し、画像確認すべき次のページがまだ残っているか否かをチェックする動作に移行する（ステップＳ１８）。
【００４９】
送信予定のすべてのページの画像確認をまだ終了していなく、次のページが残っていた場合は（ステップＳ１８のＮＯ）、次のページの送信画像データを外部表示装置６に表示するために、ページ番号を次のページに更新して（ステップＳ２１）、ステップＳ１５に戻る。
【００５０】
一方、次のページが残っていなく、送信予定のすべてのページの画像確認を終了していた場合は（ステップＳ１８のＹＥＳ）、入出力画像用領域１１２にファクシミリ送信用として編集されていた送信画像データをファクシミリ送信する（ステップＳ１９）。
【００５１】
次に、本発明によるコピーファクシミリ複合機のファクシミリ送信動作における効果について説明する。
【００５２】
図１のコピーファクシミリ複合機１に示したように、本発明によるコピーファクシミリ複合機本体にはファクシミリ送信用の画像データをすべての目的に応じて確認可能とするような表示能力を有する表示装置が備えられておらず、外部表示装置制御部１０の外部表示装置接続手段１０１を介して接続している外部表示装置６に、事前確認用の送信画像データを送信画像の確認画面として表示するように構成されている。
【００５３】
したがって、送信画像データの確認用として、利用者が利用目的に応じて最適の外部表示装置６を選択することができる。例えば、読み取り時に送信原稿がずれたり原稿が折れ曲がっていたり読み取り面や読み取り範囲を誤って指定したりしていないか、といった単純な確認を行いたいだけの利用者の場合であれば、外部表示装置６として、低い解像度の表示装置を外部表示装置接続手段１０１に接続すればよく、一方、細かい画質や濃度の確認を行いたい利用者の場合であれば、外部表示装置６として、高い解像度の表示装置を選択して接続すればよい。
【００５４】
また、これにより、本発明によるコピーファクシミリ複合機本体には、過剰に高機能の表示装置を具備する必要がなく、コピーファクシミリ複合機本体のコストを低減することができる。
【００５５】
また、本発明によるコピーファクシミリ複合機では、図１のコピーファクシミリ複合機１に示したように、更に、外部表示装置接続検出手段１０２と外部表示装置検出結果格納領域１０３とを備え、操作制御部１７が外部表示装置検出結果格納領域１０３を参照することにより、外部表示装置６が外部表示装置接続手段１０１を介して接続されていることを自動的に検出し、接続されている場合にのみ外部表示装置６に画像確認用の送信画像データを画面表示するというように構成されている。
したがって、利用者が、意識して、画像確認を行うモードにコピーファクシミリ複合機をわざわざ設定することなく、外部表示装置６を外部表示装置接続手段１０１に接続するだけで、画像確認を行うことができる状態になる。
【００５６】
更には、公衆網や専用網や構内網やインターネットやＬＡＮ２などを含む如何なるネットワークを経由してファクシミリ送信をする場合であっても、ファクシミリ送信の前に、事前確認目的に応じて選択接続されている外部表示装置６に送信画像データを画面表示して確認することができる。
【００５７】
（第２の実施例）
次に、図１に示す本発明によるコピーファクシミリ複合機１のコピー出力動作の一例について、図４、図３のフローチャートを参照して詳細に説明する。ここに、図４は、本発明によるコピーファクシミリ複合機１におけるコピー出力動作の一例を説明するためのフローチャートであり、図３は、前述したとおり、本発明によるコピーファクシミリ複合機１に外部表示装置６が接続されているか否かを自動的に検出する動作の一例を説明するためのフローチャートである。
【００５８】
まず、図４を用いて、コピーファクシミリ複合機１におけるコピー出力動作の一例について説明する。
【００５９】
利用者は、コピーファクシミリ複合機１本体の表示部１６の表示および操作制御部１７の操作により、コピー印字出力用として用いる各種コピー出力用パラメータ情報の設定を行う（ステップＳ４１）。コピー出力用パラメータ情報とは、例えば、コピー部数、２００ｄｐｉ、４００ｄｐｉ等の解像度、濃度、読み取り範囲、縮小率、週刊誌綴じ方式の有無等の印刷順序、２ｉｎ１コピー、４ｉｎ１コピー時のページ順番、背景イメージの合成といった内容を少なくとも含むものである。
【００６０】
なお、このようなコピー出力用パラメータ情報設定用に表示する設定画面は、図１の表示部１６のサイズの制限もあるため、複数の画面に分かれていることが多く、利用者自身がどのような設定を行ったのか感覚的に捉えにくい面がある。
【００６１】
また、コピー出力用パラメータ情報の中には、利用者が意図的に設定しなくても、初期値としてあらかじめ設定されている内容もあり、コピー出力用パラメータ情報がどのように設定されているのか利用者に分かりにくい場合が多い状況にある。
【００６２】
次に、スキャナ部１２でセットされているコピー原稿を画像データとして読み取る（ステップＳ４２）。読み取った画像データは入出力画像処理部１１に送られ、ステップＳ４１で設定された各種のコピー出力用パラメータ情報に基づいて、コピー印字出力用の出力画像データとして編集される（ステップＳ４３）。
【００６３】
ここで、コピーファクシミリ複合機１においては、図３のフローチャートに示すように、外部表示装置制御部１０の外部表示装置接続検出手段１０２が、外部表示装置接続手段１０１に外部表示装置６が接続されているか否かを判断し（ステップＳ３１）、その結果を外部表示装置検出結果格納領域１０３に格納している（ステップＳ３２）。
【００６４】
図３のフローチャートに示す外部表示装置６が接続されているか否かの検出は、あらかじめ定めたある一定間隔で定期的にチェックを行うようにしてもよいし、外部表示装置６の接続状態（接続または切断）の変化を割り込みで検出するしくみを用いるようにしてもよい。
【００６５】
操作制御部１７は、外部表示装置制御部１０の外部表示装置検出結果格納領域１０３を参照し、外部表示装置６が外部表示装置接続手段１０１に接続されているか否かを判断する（ステップＳ４４）。外部表示装置６が外部表示装置接続手段１０１に接続されていないと判断した場合は（ステップＳ４４のＮＯ）、ステップＳ４９に移行して、入出力画像用領域１１２にコピー印字出力用として編集されていた出力画像データをそのままコピー印字出力する（ステップＳ４９）。
【００６６】
一方、外部表示装置６が外部表示装置接続手段１０１に接続されていると判断した場合は（ステップＳ４４のＹＥＳ）、操作制御部１７は、入出力画像用領域１１２にコピー印字出力用として編集されていた出力画像データを外部表示装置制御部１０の外部表示画像用領域１０５に転送するとともに、外部表示画像表示手段１０４を起動して、外部表示画像用領域１０５に転送されたコピー印字出力用の出力画像データを、外部表示装置６に対して外部表示装置接続手段１０１を介して表示する（ステップＳ４５）。このとき、表示部１６には、外部表示装置６による画像確認を行うか否かを利用者にあらかじめ確認する確認画面を表示するようにしてもよいし、利用者に対して画像確認を促す案内画面の表示を行ってもよい。
【００６７】
外部表示装置６によるコピー印字出力用の出力画像データの事前確認を行う場合、利用者は、コピー印字出力前の画像確認を１ページごとに行う（ステップＳ４６）。
【００６８】
すなわち、利用者の事前確認目的に応じて、原稿の読み取り時に原稿がずれたり原稿が折れ曲がっていたり読み取り面や読み取り範囲を誤って指定したりしていないか、といった単純な確認や、２００ｄｐｉ、４００ｄｐｉ等の解像度、濃度、読み取り範囲、縮小率、週刊誌綴じ方式の有無等の印刷順序、２ｉｎ１コピー、４ｉｎ１コピー時のページ順番、背景イメージの合成等、利用者が意図した設定どおりにコピー出力画像が作成されているか否かといった画質を含む高度な確認を、外部表示装置６の表示内容に基づいて行う。
【００６９】
外部表示装置６の画像確認の結果、設定したコピー出力用パラメータ情報では、利用者の意図したとおりにコピー出力画像が作成されていないと利用者が判断した場合は（ステップＳ４７のＮＯ）、コピーファクシミリ複合機１本体の表示部１６の表示および操作制御部１７の操作により、変更を要するコピー出力用パラメータ情報を再設定して（ステップＳ５０）、ステップＳ４３に戻り、ステップＳ５０で再設定された各種のコピー出力用パラメータ情報に基づいて、コピー印字出力用の出力画像データを再度編集しなおすことになる。
【００７０】
一方、利用者の意図したとおりにコピー出力画像が作成されていて、設定したコピー出力用パラメータ情報に特に問題がなければ（ステップＳ４７のＹＥＳ）、コピーファクシミリ複合機１本体の表示部１６の表示および操作制御部１７の操作により、当該ページの出力画像データの出力準備を完了し、画像確認すべき次のページがまだ残っているか否かをチェックする動作に移行する（ステップＳ４８）。
【００７１】
コピー出力予定のすべてのページの画像確認をまだ終了していなく、次のページが残っていた場合は（ステップＳ４８のＮＯ）、次のページの出力画像データを外部表示装置６に表示するために、ページ番号を次のページに更新して（ステップＳ５１）、ステップＳ４５に戻る。
【００７２】
一方、次のページが残っていなく、コピー出力予定のすべてのページの画像確認を終了していた場合は（ステップＳ４８のＹＥＳ）、入出力画像用領域１１２にコピー印字出力用として編集されていた出力画像データをコピー印字出力する（ステップＳ４９）。
【００７３】
次に、本発明によるコピーファクシミリ複合機のコピー印字出力動作における効果について説明する。コピー印字出力動作における効果としては、前述の第１の実施例で説明したファクシミリ送信動作における効果と全く同様に効果が得られる。
【００７４】
すなわち、図１のコピーファクシミリ複合機１に示したように、本発明によるコピーファクシミリ複合機本体にはコピー印字出力用の画像データをすべての目的に応じて確認可能とするような表示能力を有する表示装置が備えられておらず、外部表示装置制御部１０の外部表示装置接続手段１０１を介して接続している外部表示装置６に、事前確認用の出力画像データをコピー出力画像の確認画面として表示するように構成されている。
【００７５】
したがって、出力画像データの確認用として、利用者が利用目的に応じて最適の外部表示装置６を選択することができる。例えば、読み取り時にコピー原稿がずれたり原稿が折れ曲がっていたり読み取り面や読み取り範囲を誤って指定したりしていないか、といった単純な確認を行いたいだけの利用者の場合であれば、外部表示装置６として、低い解像度の表示装置を外部表示装置接続手段１０１に接続すればよく、一方、細かい画質や濃度の確認を行いたい利用者の場合であれば、外部表示装置６として、高い解像度の表示装置を選択して接続すればよい。
【００７６】
また、これにより、本発明によるコピーファクシミリ複合機本体には、過剰に高機能の表示装置を具備する必要がなく、コピーファクシミリ複合機本体のコストを低減することができる。
【００７７】
また、本発明によるコピーファクシミリ複合機では、図１のコピーファクシミリ複合機１に示したように、更に、外部表示装置接続検出手段１０２と外部表示装置検出結果格納領域１０３とを備え、操作制御部１７が外部表示装置検出結果格納領域１０３を参照することにより、外部表示装置６が外部表示装置接続手段１０１を介して接続されていることを自動的に検出し、接続されている場合にのみ外部表示装置６に画像確認用の出力画像データを画面表示するというように構成されている。
【００７８】
したがって、利用者が、意識して、画像確認を行うモードにコピーファクシミリ複合機をわざわざ設定することなく、外部表示装置６を外部表示装置接続手段１０１に接続するだけで、画像確認を行うことができる状態になる。
【００７９】
更には、白黒コピーやハーフトーンコピーやカラーコピーなどを含む如何なるコピー方式を用いてコピー印字出力する場合であっても、コピー印字出力の前に、事前確認目的に応じて選択接続されている外部表示装置６に出力画像データを画面表示して確認することができる。
【００８０】
（第３の実施例の構成）
次に、本発明によるコピーファクシミリ複合機の第３の実施例について、その構成例を図５を用いて説明する。図５は、本発明によるコピーファクシミリ複合機の第３の実施例を示す概略構成ブロック図である。図５に示す本発明によるコピーファクシミリ複合機１Ａは、図１に前述した第１及び第２の実施例のコピーファクシミリ複合機１に比し、外部表示装置６との接続制御を司る外部表示装置制御部１０Ａの構成のみが異なり、図１の外部表示装置制御部１０に、更に、外部表示装置６への表示画像を編集するための外部表示画像編集手段１０６を追加して備えている以外は全く同様の構成としている。
【００８１】
図５に示す本発明によるコピーファクシミリ複合機１Ａにおいては、図１に示したコピーファクシミリ複合機１の場合と同様に、紙に印刷された文書を読み取るためのスキャナ部１２と、読み取ったデータや出力する画像データを処理する入出力画像処理部１１と、ファクシミリ装置として受信した画像データや、コピー入力した画像を印字出力するプリンタ部１３と、公衆網や専用網や構内網のような電話回線に接続されたファクシミリ装置３との通信を制御する通信制御部１４と、ＬＡＮ２やインターネットやイントラネットなどのネットワークに接続されたＩＰアドレスファクシミリ装置４やパーソナルコンピュータ５との通信を制御するネットワーク制御部１５と、当該コピーファクシミリ複合機１Ａの各種の状態情報（設定情報）や操作画面を画面表示する表示部１６と、当該コピーファクシミリ複合機１Ａの利用者による操作を制御し、当該コピーファクシミリ複合機１Ａの全体の動作を制御する操作制御部１７と、を少なくとも含んで構成されている。
【００８２】
ここで、表示部１６は、図１のコピーファクシミリ複合機１と同様、従来技術のようにファクシミリ送信用やコピー印字出力用の出力用画像データの確認のために用いるものではなく、当該コピーファクシミリ複合機１Ａの各種の設定情報を表示したり、操作用の情報を画面表示するものであり、精細な解像度を有しておらず、小型サイズの表示画面のものでも十分である。また、プリンタ部１３は、白黒コピー、ハーフトーンコピー、カラーコピーなどのコピー方式について、使用目的により必要に応じたコピー方式に適用可能なものを用いて構成すればよい。
【００８３】
また、入出力画像処理部１１は、図１のコピーファクシミリ複合機１と同様、入出力画像編集手段１１１と入出力画像用領域１１２とを少なくとも含んで構成されている。
【００８４】
更に、図５に示すコピーファクシミリ複合機１Ａは、図１のコピーファクシミリ複合機１の外部表示装置制御部１０と同様に、ファクシミリ送信前またはコピー印字出力前に、出力用画像データを事前確認目的に応じて表示可能とする外部表示装置６と接続して画面表示制御を司る外部表示装置制御部１０Ａを含んで構成されている。
【００８５】
外部表示装置制御部１０Ａは、図１のコピーファクシミリ複合機１における外部表示装置制御部１０と同様に、外部表示装置６と接続するための外部表示装置接続手段１０１と、外部表示装置６が外部表示装置接続手段１０１に接続されていて画面表示が可能な状態にあることを検出する外部表示装置接続検出手段１０２と、外部表示装置接続検出手段１０２の検出結果を格納するための外部表示装置検出結果格納領域１０３と、外部表示装置６へ画像を表示するための外部表示画像表示手段１０４と、外部表示装置６へ表示する出力用画像を格納している外部表示画像用領域１０５と、を少なくとも含み、更に、前述したように、外部表示装置６への表示画像を編集するための外部表示画像編集手段１０６を追加して構成されている。
【００８６】
なお、外部表示装置６は、当該コピーファクシミリ複合機１Ａの通信制御部１４やネットワーク制御部１５を介してファクシミリ送信したり、プリンタ部１３でコピー印字出力したりする出力用画像を、事前確認する目的に応じて必要とする解像度やサイズ等の任意の表示能力で画像表示が可能な表示装置であり、異なる表示能力を有する外部表示装置のうち、利用者の事前確認目的に応じてあらかじめ定めた所定の表示能力を有する任意の外部表示装置を選択して用いている。ここで、外部表示装置接続手段１０１は、事前確認目的に応じて任意に選択された所望の外部表示装置６を接続することが可能なように構成されている。
【００８７】
図５に示すコピーファクシミリ複合機１Ａでは、図１に示すコピーファクシミリ複合機１に加えて外部表示画像編集手段１０６を備えているので、外部表示装置６に画面表示するデータとして、事前確認用の出力用画像に加えて、利用者が設定したパラメータ情報（送信用パラメータ情報やコピー出力用パラメータ情報）を、外部表示装置６に表示可能な形式に編集して、付加情報として表示することが可能である。
【００８８】
これにより、利用者は設定したパラメータ情報と、ファクシミリ送信用やコピー印字出力用として実際に出力される出力画像データ（イメージ画像）と、を一度に確認することができるようになる。
【００８９】
例えば、出力用画像データを事前確認する場合、外部表示装置６の左半分の画面領域には設定したパラメータ情報を文字情報として表示し、右半分の画面領域には出力用画像データを表示するように編集することができる。
【００９０】
更には、コピー印字出力時には、外部表示画像編集手段１０６によって、出力用画像データの画面領域に、コピー印字出力後の記録用紙にパンチ穴を開ける、ステープル止めする等、コピー印字出力後の記録用紙の仕上げ用パラメータ情報の設定内容（綴じ穴やステープル位置など）を、外部表示装置６に表示可能な形式に編集して、出力用画像データに組み合わせて外部表示装置６に画面表示するようにすることも可能である。
【００９１】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【図面の簡単な説明】
【００９２】
【図１】本発明によるコピーファクシミリ複合機の第１及び第２の実施例を示す概略構成ブロック図である。
【図２】本発明によるコピーファクシミリ複合機におけるファクシミリ送信動作の一例を説明するためのフローチャートである。
【図３】本発明によるコピーファクシミリ複合機に外部表示装置が接続されているか否かを自動的に検出する動作の一例を説明するためのフローチャートである。
【図４】本発明によるコピーファクシミリ複合機におけるコピー出力動作の一例を説明するためのフローチャートである。
【図５】本発明によるコピーファクシミリ複合機の第３の実施例を示す概略構成ブロック図である。
【図６】従来のファクシミリ装置における送信ファクシミリ画像の確認方法を説明するフローチャートである。
【図７】従来のカラー・ファクシミリ装置における送信ファクシミリ画像の確認方法を説明するフローチャートである。
【図８】従来技術のコピーファクシミリ複合機を示す概略構成ブロック図である。
【符号の説明】
【００９３】
１，１Ａ    コピーファクシミリ複合機
２          ＬＡＮ
３          ファクシミリ装置
４          ＩＰアドレスファクシミリ装置
５          パーソナルコンピュータ
６            外部表示装置
１０，１０Ａ  外部表示装置制御部
１１          入出力画像処理部
１２          スキャナ部
１３          プリンタ部
１４          通信制御部
１５          ネットワーク制御部
１６          表示部
１７          操作制御部
１００        コピーファクシミリ複合機
１０１        外部表示装置接続手段
１０２        外部表示装置接続検出手段
１０３        外部表示装置検出結果格納領域
１０４        外部表示画像表示手段
１０５        外部表示画像用領域
１０６        外部表示画像編集手段
１１１        入出力画像編集手段
１１２        入出力画像用領域
【図１】
2006246284.tif 000003
【図２】
2006246284.tif 000004
【図３】
2006246284.tif 000005
【図４】
2006246284.tif 000006
【図５】
2006246284.tif 000007
【図６】
2006246284.tif 000008
【図７】
2006246284.tif 000009
【図８】
2006246284.tif 000010